【事件の表示】
　特願２０１５−１９５６０３「ディスプレイの表面特徴によって引き起こされる視覚的な歪みを補償するシステム及び方法」拒絶査定不服審判事件〔平成２８年４月７日出願公開、特開２０１６−４８３７５、請求項の数（１５）〕について、次のとおり審決する。
【結　論】
　原査定を取り消す。
　本願の発明は、特許すべきものとする。
【理　由】
第１　手続の経緯
　この審判事件に関する出願（本願）は、２００９年（平成２１年）１０月２９日にアメリカ合衆国でされた特許出願に基づくパリ条約の優先権を主張して平成２２年１０月２８日にされた外国語書面出願（特願２０１０−２４２３４８）の一部を平成２７年１０月１日に新たな特許出願である外国語書面出願としたものである。そして、同３０日に翻訳文が提出されるとともに、特許請求の範囲についての補正がされた。その後、平成２９年１月１１日に特許請求の範囲についての補正がされ、同年２月９日付けで拒絶査定（原査定）がされ、同１４日に査定の謄本が送達された。
　これに対して、請求人は、同年６月１３日に拒絶査定不服審判を請求し、同時に特許請求の範囲についての補正をした。
　当合議体は、平成３０年２月１４日付けで拒絶の理由（以下、「当審拒絶理由」という。）を通知し（拒絶理由通知書の発送日：同２０日）、請求人は、同年５月１５日に特許請求の範囲についての補正（以下、「本件補正」という。）をするとともに、意見書を提出した。
第２　本願に係る発明
　本願の特許請求の範囲の請求項１ないし請求項１５に係る発明（以下、「本願発明１」ないし「本願発明１５」という。）は、本願の特許請求の範囲の請求項１ないし請求項１５に記載された事項により特定される以下のとおりのものである。
「【請求項１】
　画像に対応せず且つ前記画像を少なくとも部分的に覆う表面特徴を有するディスプレイと、
　前記表面特徴の場所を検出するように構成されるセンサと、
　前記ディスプレイに結合されるプロセッサであって、
　前記画像に関係付けられるディスプレイ信号を受信し、前記表面特徴の場所を含む前記表面特徴に関係付けられる信号を決定し、前記表面特徴に少なくとも部分的に基づいて、前記表面特徴によって引き起こされる前記画像における歪みを低減するように前記ディスプレイ信号を変換し、且つ変換された前記ディスプレイ信号を前記ディスプレイに送信するように構成されるプロセッサと
　を備える、携帯装置。
　【請求項２】
　前記ディスプレイは、透過面を備える、請求項１に記載の携帯装置。
　【請求項３】
　前記ディスプレイの表面下に設置され且つ前記表面特徴に関係付けられる基板を更に備え、
　前記プロセッサは、前記表面特徴の変形を決定し、且つ前記表面特徴の変形に関係付けられる変形信号を前記基板に送信するように更に構成され、
　前記基板は、前記変形信号に基づいて前記表面特徴を変化させるように構成される、請求項１に記載の携帯装置。
　【請求項４】
　光学情報を検出し、且つ視野角及び目の動きの１つ以上に関係付けられるデータを含むユーザ信号を送信するように構成される光学センサを更に備え、
　前記プロセッサは、前記ユーザ信号を受信するように更に構成され、
　前記ディスプレイ信号の変換は、前記ユーザ信号に基づいて前記表面特徴による前記画像の歪みを補償することを含む、請求項３に記載の携帯装置。
　【請求項５】
　前記補償は、前記表面のユーザの視界を拡大するように構成される、請求項４に記載の携帯装置。
　【請求項６】
　画像に関係付けられるディスプレイ信号を受信するステップと、
　携帯装置のディスプレイにおける前記画像に対応せず且つ前記画像を少なくとも部分的に覆う表面特徴の場所を検出するステップと、
　前記表面特徴の場所を含む前記表面特徴に関係付けられる信号を受信するステップと、
　前記表面特徴に少なくとも部分的に基づいて、前記表面特徴によって引き起こされる前記画像における歪みを低減するように前記ディスプレイ信号を変換するステップと、
　変換された前記ディスプレイ信号を前記ディスプレイに送信するステップと　を含む、方法。
　【請求項７】
　前記ディスプレイは、透過面を備える、請求項６に記載の方法。
　【請求項８】
　前記表面特徴の変形を決定するステップと、
　前記変形に関係付けられる変形信号を前記ディスプレイの表面下に設置され且つ前記表面特徴に関係づけられる基板に送信するステップと
　を更に含み、
　前記基板は、前記変形信号に基づいて前記表面特徴を変化させるように構成される、請求項６に記載の方法。
　【請求項９】
　ユーザに関係付けられる情報を検出して、ユーザ信号を送信するように構成される光学センサからユーザ信号を受信するステップであって、前記ユーザ信号は、ユーザの視野角及びユーザの目の動きの１つ以上に関係付けられるデータを含むステップを更に含み、
　前記ディスプレイ信号の変換は、前記ユーザ信号に基づいて前記表面特徴による前記画像の歪みを補償することを含む、請求項８に記載の方法。
　【請求項１０】
　前記補償は、前記表面のユーザの視界を拡大するように構成される、請求項９に記載の方法。
　【請求項１１】
　プログラムコードを含む非一時的コンピュータ可読記録媒体であって、前記プログラムコードは、プロセッサによって実行されると、前記プロセッサに　画像に関係付けられるディスプレイ信号を受信すること、
　携帯装置のディスプレイにおける前記画像に対応せず且つ前記画像を少なくとも部分的に覆う表面特徴の場所を検出すること、
　前記表面特徴の場所を含む前記表面特徴に関係付けられる信号を受信すること、
　前記表面特徴に少なくとも部分的に基づいて、前記表面特徴によって引き起こされる前記画像における歪みを低減するように前記ディスプレイ信号を変換すること、及び
　変換された前記ディスプレイ信号を前記ディスプレイに送信すること
　を行わせるように構成される、非一時的コンピュータ可読記録媒体。
　【請求項１２】
　前記ディスプレイは、透過面を備える、請求項１１に記載の非一時的コンピュータ可読記録媒体。
　【請求項１３】
　前記表面特徴の変形を決定すること、
　前記変形に関係付けられる変形信号を前記ディスプレイの表面下に設置され且つ前記表面特徴に関係づけられる基板に送信すること
　を更に含み、
　前記基板は、前記変形信号に基づいて前記表面特徴を変化させるように構成される、請求項１１に記載の非一時的コンピュータ可読記録媒体。
　【請求項１４】
　ユーザに関係付けられる情報を検出して、ユーザ信号を送信するように構成される光学センサからユーザ信号を受信することであって、前記ユーザ信号は、ユーザの視野角及びユーザの目の動きの１つ以上に関係付けられるデータを含むことを更に含み、
　前記ディスプレイ信号の変換は、前記ユーザ信号に基づいて前記表面特徴による前記画像の歪みを補償することを含む、請求項１３に記載の非一時的コンピュータ可読記録媒体。
　【請求項１５】
　前記補償は、前記表面のユーザの視界を拡大するように構成される、請求項１４に記載の非一時的コンピュータ可読記録媒体。」
　なお、本願発明２ないし本願発明５は、本願発明１の構成を全て含む。
　本願発明６は、本願発明１に係る装置によって実行される方法の発明であり、本願発明１とカテゴリー表現が異なるだけの発明である。そして、本願発明７ないし本願発明１０は、本願発明６の構成を全て含む。
　本願発明１１は、本願発明１に係る装置によって実行される方法（すなわち、本願発明６に係る方法）をプロセッサに実行させるプログラムコードを含む非一時的コンピュータ可読記録媒体の発明であり、本願発明１とカテゴリー表現が異なるだけの発明である。そして、本願発明１２ないし本願発明１５は、本願発明１１の構成を全て含む。
第３　原査定の概要
　本願の請求項１、請求項２、請求項６、請求項７、請求項１１及び請求項１２に係る発明は、引用文献１又は引用文献２に記載された発明であるから、特許法第２９条第１項第３号に該当し、特許を受けることができないか、引用文献１又は引用文献２に記載された発明に基づいて、当業者が容易に発明をすることができたものであるから、同法第２９条第２項の規定により特許を受けることができない。
　本願の請求項３、請求項８及び請求項１３に係る発明は、引用文献１に記載された発明であるから、同法第２９条第１項第３号に該当し、特許を受けることができないか、引用文献１に記載された発明に基づいて、当業者が容易に発明をすることができたものであるから、同法第２９条第２項の規定により特許を受けることができない。
　本願の請求項４、請求項５、請求項９、請求項１０、請求項１４及び請求項１５に係る発明は、引用文献１に記載された発明と、例えば引用文献３に記載された周知の技術と、引用文献４に記載された発明とに基づいて、当業者が容易に発明をすることができたものであるから、同法第２９条第２項の規定により特許を受けることができない。
　　引用文献１：特開２００９−６４３５７号公報
　　引用文献２：国際公開第２００９／０８８９８５号
　　引用文献３：特開２００６−２７６６９２号公報
　　引用文献４：特表２００５−５１２２４１号公報
第４　当審拒絶理由の概要
　本願は、以下に示すとおり、特許請求の範囲の記載が特許法第３６条第６項第１号に規定する要件を満たしていない。
１　請求項１
　請求項１には、「前記表面特徴に少なくとも部分的に基づいて前記ディスプレイ信号を変換」「するように構成されるプロセッサ」と記載されているから、「プロセッサ」がどのように「ディスプレイ信号を変換」するかは、任意である。
　一方、発明の詳細な説明には、タッチスクリーンが備える表面特徴がディスプレイ上の画像の歪みを引き起こすという技術的課題を、その歪みを補償するように映像信号を変換することによって解決した発明のみが記載されている。そして、それ以外の任意の変換にまで一般化した場合でも前記の技術的課題を解決できることは、発明の詳細な説明に記載も示唆もされていないし、当業者にとって自明であると認めることもできない。
　したがって、請求項１に係る発明は、発明の詳細な説明に記載したものでない。請求項１の記載を直接又は間接的に引用して記載された請求項２ないし請求項５に係る発明も、同様である。
２　請求項６及び請求項１１
　前記１で述べたことは、請求項６の「前記表面特徴に少なくとも部分的に基づいて前記ディスプレイ信号を変換するステップ」という記載、及び請求項１１の「前記表面特徴に少なくとも部分的に基づいて前記ディスプレイ信号を変換する」という記載にも当てはまる。
　したがって、請求項６及び請求項１１に係る発明は、発明の詳細な説明に記載したものでない。請求項６の記載を直接又は間接的に引用して記載された請求項７ないし請求項１０に係る発明、及び請求項１１の記載を直接又は間接的に引用して記載された請求項１２ないし請求項１５に係る発明も、同様である。
第５　当審拒絶理由について
　本件補正により、請求項１、請求項６及び請求項１１に係る発明（本願発明１、本願発明６及び本願発明１１）において、どのように「ディスプレイ信号を変換」するかは任意ではなく、「前記表面特徴によって引き起こされる前記画像における歪みを低減するように」「ディスプレイ信号を変換」するものであることが特定されたので、これらの発明は、発明の詳細な説明に記載したものとなった。請求項１、請求項６又は請求項１１の記載を直接又は間接的に引用して記載された請求項２ないし請求項５、請求項７ないし請求項１０及び請求項１２ないし請求項１５に係る発明（本願発明２ないし本願発明５、本願発明７ないし本願発明１０及び本願発明１２ないし本願発明１５）も、同様である。
　したがって、当審拒絶理由は解消された。
第６　原査定の理由について
１　引用文献に記載された発明等
（１）引用文献１
ア　引用文献１の記載
　引用文献１には、以下の記載がある。下線は、当合議体が付した。
「【発明を実施するための最良の形態】
【００１２】
　以下、図面を参照しながら、本発明の一実施形態について説明する。
【００１３】
　なお、
以下の実施形態では、
携帯電話端末を挙げている
「【００４７】
　図７〜図９には、本発明実施形態の携帯電話端末６０において、例えば円形状や四角形状だけでなく、その他の所望の形状を形成でき、それら所望の形状を用いた視覚的及び触覚的な情報伝達を可能とする視触覚ＵＩパネル６５の概念図を示す。なお、図７は、本実施形態の携帯電話端末６０をディスプレイパネルの表示面側（正面側）から観た図を示している。図８は、図７の携帯電話端末６０を図７中の一点鎖線で切断して図中矢印Ａ−Ａ側から観た概略断面構造を示しており、上記所望の形状を形成するために上記視触覚ＵＩパネル６５の各変形部６１のうちの幾つかを凸形状に膨張させた状態を概略的に示している。また、図９は、図７の円Ｂ内にて示された部分のみを抜き出して拡大した概念図を示している。
【００４８】
　これら図７〜図９に示す本実施形態の
携帯電話端末６０において、
視触覚ＵＩパネル６５は、透明シート６２と、ドット変形部６１と、ポンプ６３と、流路６４とを有して構成されている。
【００４９】
　上記
透明シート６２は、
携帯電話端末６０のディスプレイパネル４６の前面（表示面側）に設けられると共に当該ディスプレイパネル４６の表示面の略々全面を覆うように配される。
透明シート６２の前面側には透明タッチパネルが設けられている。
【００５０】
　本実施形態の場合の
ドット変形部６１は
マトリクス状に行列配置されており、
【００５１】
　上記流路６４は、流体（液体や気体、ゲル状物質など）が移動可能な管状の透明部材により形成されている。また、本実施形態の場合、上記流路６４は、ポンプ６３から吐出される流体を通して各ドット変形部６１へ供給するための複数の流体供給用流路６４ｉｎと、各ドット変形部６１から排出される流体を通してポンプ６３へ戻すための複数の流体吸引用流路６４ｏｕｔとに区別されている。さらに、本実施形態の場合、上記流体供給用流路６４ｉｎは、上記各ドット変形部６１のマトリクス状行列配置の例えば各列毎に一つずつ配置され、同様に、流体吸引用流路６４ｏｕｔも上記マトリクス状行列配置の各列毎に一つずつ配置されている。また、上記マトリクス状行列配置の一つの列について配置された一つの流体供給用流路６４ｉｎは、当該列内の各行毎に一つずつ分岐した複数の分岐流路を有しており、同様に、マトリクス状行列配置の一つの列について配置された一つの流体吸引用流路６４ｏｕｔもその列内の各行毎に一つずつ分岐した複数の分岐流路を有している。そして、マトリクス状行列配置の一つの列について配置された一つの流体供給用流路６４ｉｎの上記各分岐流路の端部は、当該一つの列内の各行毎に設けられている各ドット変形部６１の流体注入口に各々対応して繋がれており、一方、上記分岐流路側でない方の共通端部は、上記ポンプ６３の流体吐出口に繋がれている。同様に、マトリクス状行列配置の一つの列について配置された一つの流体吸引用流路６４ｏｕｔの上記各分岐流路の端部は、当該一つの列内の各行毎に設けられている各ドット変形部６１の流体排出口に各々対応して繋がれており、一方、上記分岐流路側でない方の共通端部は、上記ポンプ６３の流体吸引口に繋がれている。なお、これら流路６４についても、前述同様に、チューブの長手方向や当該長手方向に直交する方向については或る程度の可撓性を有する一方で、少なくとも径については変化しない（径方向に膨張収縮しない）素材により形成されている。また、上述の説明では、複数の流体供給用流路６４ｉｎの上記分岐流路側でない方の共通端部がそれぞれポンプ６３の流体吐出口に繋がれ、複数の流体吸引用流路６４ｏｕｔの上記分岐流路側でない方の共通端部がそれぞれポンプ６３の流体吸引口に繋がれているとして説明したが、例えばポンプ６３の流体吐出口が一つしかない場合には、例えば、複数の流体供給用流路６４ｉｎの上記分岐流路側でない方の共通端部を一つに纏めて当該ポンプ６３の一つの流体吐出口に繋ぐようにし、同様に、ポンプ６３の流体吸引口が一つしかない場合には、上記複数の流体吸引用流路６４ｏｕｔの上記分岐流路側でない方の共通端部を一つに纏めて当該ポンプ６３の一つの流体吸引口に繋ぐようにしても良い。
【００５２】
　上記ポンプ６３は、流体の吐出と吸引が可能な例えばダイアフラム式マイクロポンプであり、流体吐出口が上記流体供給用流路６４ｉｎに繋がれ、流体吸引口が上記流体吸引用流路６４ｏｕｔに繋がれている。
【００５３】
　また、図９に示すように、本実施形態において、流体供給用流路６４ｉｎの各分岐流路の端部近傍には、それぞれ個々に流体注入口用マイクロバルブ６６が設けられ、同様に、流体吸引用流路６４ｏｕｔの各分岐流路の端部近傍には、それぞれ個々に流体排出口用マイクロバルブ６７が設けられている。上記流体注入口用マイクロバルブ６６と流体排出口用マイクロバルブ６８は、それぞれ開閉制御可能となされている。すなわち、本実施形態の携帯電話端末６０において、例えば
ドット変形部６１へ流体を注入して当該ドット変形部６１を膨張状態にさせる
膨張状態になっているドット変形部６１から流体を排出させて当該ドット変形部６１を空（平面）状態にさせる
【００５４】
　上述のようにして、上記マトリクス状に配置された各ドット変形部６１の中の所望のドット変形部６１を膨張状態にし、また、他の所望のドット変形部６１を空（平面）状態にする制御を行えば、上記膨張状態になされた各ドット変形部６１上の透明シート６２は、上記ディスプレイパネル４６の表示面から離れる方向に持ち上げられ、一方、上記空（平面）状態の各ドット変形部６１上の透明シート６２は、上記ディスプレイパネル４６の表示面に近い低い位置に留まることになる。
【００５５】
　すなわち本実施形態の携帯電話端末によれば、例えば図７に示したように、
膨張状態となっており且つそれぞれ隣接した各ドット変形部６１により持ち上げられた透明シート６２の部分と、空（平面）状態となっており且つそれぞれ隣接した各ドット変形部６１により低くなっている部分とを形成することにより、
様々な形状を、ディスプレイパネル４６の上に形成することができる
「【００６６】
〔本実施形態の携帯電話端末による視触覚的なユーザインターフェースの具体例〕
　以下、図１１〜図１５を用い、上述した各実施形態の携帯電話端末の視触覚ＵＩパネルによって使用者へ提供することが可能な視触覚的なユーザインターフェースの具体例を説明する。図１１〜図１５は、本実施形態の携帯電話端末の様々な利用シーンに応じて視触覚ＵＩパネルの変形部を変形制御する具体例を挙げている。なお、図１１〜図１４は、それぞれ図中（ａ）に携帯電話端末１００をディスプレイパネル表示面側（視触覚ＵＩパネル１０１面側）から見た概略図を示し、図中（ｂ）には携帯電話端末１００を長手方向の側面側から見た概略図を、図中（ｃ）は携帯電話端末１００を短手方向の側面側からみた概略図を示している。
【００６７】
　図１１には、視触覚ＵＩパネル１０１の変形部を全てフラット状態（ドット変形部の場合には全てフラット状態か若しくは全て膨張状態の何れか）にして凹凸を形成させないように制御した時の携帯電話端末１００の状態を示している。また、図１１は、例えばディスプレイパネルの画面上に画像等を表示することによる視覚的な情報の伝達のみが行われる場合のユーザインターフェース例を示している。なお、図１１において、ディスプレイパネル面上に表示される画像としては、一例として写真撮影時の撮影前画像や写真画像表示時のフォトビュー画像などを挙げることができる。すなわち図１１は、本実施形態の携帯電話端末の利用シーンとして、上記撮影前画像やフォトビュー画像を表示するような場面を挙げている。
【００６８】
　図１２には、
視触覚ＵＩパネル１０１の一部の変形部１１０，１１１，１１２を膨張状態にし、それ以外の変形部を全てフラット状態に制御し
ディスプレイパネル面上に
複数種類の形状で且つ凸状のボタンを形成することで、視覚的及び触覚的な情報伝達を可能とする場合
ディスプレイパネルの表示画像のうち、
視触覚ＵＩパネル１０１上で凸状に形成されたボタン直下に表示される画像として、
ボタン面上（キートップ）の刻印と当該ボタンに対して斜め情報
から光が当てられることによる陰影を表現する画像を表示する
「【００７３】
〔視触覚ＵＩパネルの変形部膨張による拡大画像の補正〕
　上述の図１２〜図１４の例のように、
視触覚ＵＩパネルの変形部を膨張状態にして凸形状のボタン等を形成した場合、当該凸形状のボタンは凸レンズとして作用する
凸形状のボタンを通して見たディスプレイ画像は、実際のサイズよりも拡大して見える
「【００７８】
　なお、
変形部を凸形状にすることで画像が拡大視されてしまう状態を補正するため
ディスプレイパネルの表示画像を、上記変形部を凸形状による画像拡大率に対応した縮小率で縮小表示する
「【００７９】
〔携帯電話端末の概略的な内部構成〕
　
図１７には、本発明の各実施形態の携帯電話端末の概略的な内部構成を示す。
【００８０】
　図１７において、通信アンテナ１２は、例えば内蔵アンテナであり通話やパケット通信のための信号電波の送受信を行う。通信回路１１は、送受信信号の周波数変換、変調と復調等を行う。
【００８１】
　
制御部１０は、ＣＰＵからなり、
画像処理及びその制御
を行う。
【００８２】
　スピーカ２１は、携帯電話端末に設けられている受話用のスピーカやリンガ（着信音）、アラーム音、警告音、再生音楽、ディジタル音声、再生動画像の音声等の出力用スピーカであり、音声処理部２０から供給された音声信号を音響波に変換して空気中に出力する。
【００８３】
　マイクロホン２２は、送話用及び外部音声集音用のマイクロホンであり、音響波を音声信号に変換し、その音声信号を音声処理部２０に送る。
【００８４】
　音声処理部２０は、データラインを介して入力された圧縮符号化された音声データの伸張復号化や誤り訂正等の所定の音声処理を行い、その処理後の音声データをディジタル／アナログ変換した後増幅し、その増幅後の音声信号を上記スピーカ１８へ出力する。また、音声処理部２０は、マイクロホン２２から供給された入力音声信号を増幅及びアナログ／ディジタル変換し、そのアナログ／ディジタル変換後の音声データに必要に応じて圧縮符号化や誤り訂正符号の付加等の処理を施して、データラインを介して出力する。
【００８５】
　表示部２３は、例えば液晶ディスプレイパネル等の表示デバイスと、そのディスプレイパネルの表示駆動回路とを含み、上記ディスプレイパネルの画面上に文字や各種メッセージ、静止画像や動画像等を表示する。
【００８６】
　操作入力部２４は、本実施形態の携帯電話端末の場合は前述した透明タッチパネルに相当する。すなわち、操作入力部２４では、例えば
ユーザが指先
で透明タッチパネルの表面を触れたときに、その接触を検知してその検知信号を
制御部１０へ出力する。これにより、制御部１０は、
何れかのボタンが使用者により押されたのかを知ることで、そのボタンに割り当てられている機能を実行する
【００８７】
　
変形部２５は前述した本実施形態の視触覚ＵＩパネルの変形部であり、同様に
ポンプ２７は前述のポンプである。
【００８８】
　
ポンプ制御部２８は、制御部１０からの制御データに基づいて、ポンプ２７における流体吐出動作や流体吸引動作を行う。
【００８９】
　バルブ制御部２９は、本実施形態の携帯電話端末の視触覚ＵＩパネルが複数のマイクロバルブを備えている場合に、制御部１０からの制御データに基づいて、各マイクロバルブを開栓，閉栓させる制御を行う。すなわち、制御部１０からの制御データは、バルブ制御部２９が各マイクロバルブ２６を開栓，閉栓させる際の制御値、また、本実施形態のマイクロバルブがその開栓量或いは閉栓量を調整可能なバルブである場合には、それら開栓量或いは閉栓量を調整するための制御値も含まれている。
【００９０】
　メモリ部１５は、ＲＯＭ（Read Only Memory）とＲＡＭ（Random Access Memory）を含む。ＲＯＭは、ＮＡＮＤ型フラッシュメモリ（NAND-type flash memory）のような書き換え可能な記憶媒体を含み、例えば、プログラム蓄積部１６にＯＳ（Operating System）のプログラムや制御部１０が各部を制御するための制御プログラム及び本実施形態にかかるポンプやバルブを制御するための制御プログラム、各種のアプリケーションプログラムが蓄積され、また、圧縮符号化された楽曲データコンテンツや動画像データコンテンツの他、各種の初期設定値、フォントデータ、各辞書データ、機種名情報や端末識別情報などをも記憶する。ＲＡＭは、制御部１０が各種のデータ処理を行う際の作業領域として、随時データを格納する。なお、メモリ部１５には、着脱可能な外部メモリカードを含んでいてもよい。
【００９１】
　画像処理部１３は、待ち受け画面や電子メール文、アドレス帳、各種ユーザインターフェース画面、動画像データコンテンツの再生動画像、ディジタルテレビジョン放送の受信動画像等の画像データを生成して、それら画像データをデータラインを介して表示部２３のディスプレイパネルへ送って表示させる処理等を行う。また、
画像処理部１３は、描画エンジン１４を備えており、
描画エンジン１４により生成された画像データも、
ディスプレイパネルへ送られて表示される。
ディスプレイ画面上に仮想的なボタン画像を表示し、そのボタン画像に対して陰影を付けるような処理も描画エンジン１４により行うことができる。
【図７】
【図８】
【図９】
【図１２】
【図１７】
イ　引用文献１に記載された発明
　引用文献１の前記アの記載によれば、以下のことが認められる。
（ア）引用文献１には、携帯電話端末が記載されている（【００１３】）。
（イ）携帯電話端末６０は、透明シート６２とドット変形部６１とポンプ６３と流路６４とを有する視触覚ＵＩパネル６５を備える（【００４８】）。
（ウ）携帯電話端末は、ＣＰＵからなり、画像処理及びその制御を行う制御部１０を備える（【００７９】、【００８１】、図１７）。
（エ）携帯電話端末は、ポンプ制御部２８を有し、ポンプ制御部２８は、制御部１０からの制御データに基づいて、視触覚ＵＩパネルのポンプであるポンプ２７における流体吐出動作や流体吸引動作を行う（【００８７】、【００８８】、図１７）。
（オ）透明シート６２は、その前面側に透明タッチパネルが設けられており、携帯電話端末６０のディスプレイパネル４６の前面（表示面側）に設けられるとともに、ディスプレイパネル４６の表示面の略々全面を覆うように配される（【００４９】）。
（カ）使用者（ユーザ）が指先で透明タッチパネルの表面に触れると、その接触を検知した検知信号を制御部１０へ出力し、これにより、制御部１０は、使用者が何れのボタンを押したのかを知ることで、そのボタンに割り当てられた機能を実行する（【００８６】、図１７）。
（キ）ドット変形部６１は、マトリクス状に行列配置され（【００５０】）、流体を注入して膨張状態にしたり、流体を排出させて空（平面）状態にしたりすることができ（【００５３】）、膨張状態となっておりかつそれぞれ隣接した各ドット変形部６１により持ち上げられた透明シート６２の部分と、空（平面）状態となっておりかつそれぞれ隣接した各ドット変形部６１により低くなっている透明シート６２の部分とを形成することにより、様々な形状をディスプレイパネル４６の上に形成することができる（【００５５】）。
（ク）視触覚ＵＩパネル１０１の一部の変形部１１０、１１１、１１２を膨張状態にし、それ以外の変形部を全てフラット状態に制御し、ディスプレイパネル面上に複数種類の形状でかつ凸状のボタンを形成することで、視覚的及び触覚的な情報伝達を可能とする場合、ディスプレイパネルの表示画像のうち、視触覚ＵＩパネル１０１上で凸状に形成されたボタン直下に表示される画像として、ボタン面上（キートップ）の刻印とボタンに対して斜め上方から光が当てられることによる陰影を表現する画像を表示する（【００６８】）。
（ケ）このとき、凸形状のボタンが凸レンズとして作用し、凸形状のボタンを通して見たディスプレイ画像は、実際のサイズよりも拡大して見えるので（【００７３】）、これを補正するため、ディスプレイパネルの表示画像を、凸形状による画像拡大率に対応した縮小率で縮小表示する（【００７８】）。
（コ）携帯電話端末は、ディスプレイ画面上に仮想的なボタン画像を表示し、そのボタン画像に対して陰影を付ける処理を行う描画エンジン１４を備える画像処理部１３を備え、画像処理部１３は、描画エンジン１４が生成した画像データをディスプレイパネルに送って表示させる（【００９１】、図１７）。
（サ）以上のことをまとめると、引用文献１には、以下の発明（以下、「引用発明」という。）が記載されている。
「透明シートとドット変形部とポンプと流路とを有する視触覚ＵＩパネルと、ＣＰＵからなり、画像処理及びその制御を行う制御部と、制御部からの制御データに基づいてポンプにおける流体吐出動作や流体吸引動作を行うポンプ制御部とを備える携帯電話端末であって、
　透明シートは、その前面側に透明タッチパネルが設けられており、携帯電話端末のディスプレイパネルの前面（表示面側）に設けられるとともに、ディスプレイパネルの表示面の略々全面を覆うように配され、
　使用者が指先で透明タッチパネルの表面に触れると、その接触を検知した検知信号を制御部へ出力し、これにより、制御部は、使用者が何れのボタンを押したのかを知ることで、そのボタンに割り当てられた機能を実行し、
　ドット変形部は、マトリクス状に行列配置され、流体を注入して膨張状態にしたり、流体を排出させて空（平面）状態にしたりすることができ、膨張状態となっておりかつそれぞれ隣接した各ドット変形部により持ち上げられた透明シートの部分と、空（平面）状態となっておりかつそれぞれ隣接した各ドット変形部により低くなっている透明シートの部分とを形成することにより、様々な形状をディスプレイパネルの上に形成することができ、
　視触覚ＵＩパネルの一部の変形部を膨張状態にし、それ以外の変形部を全てフラット状態に制御し、ディスプレイパネル面上に複数種類の形状でかつ凸状のボタンを形成することで、視覚的及び触覚的な情報伝達を可能とする場合、ディスプレイパネルの表示画像のうち、視触覚ＵＩパネル上で凸状に形成されたボタン直下に表示される画像として、ボタン面上（キートップ）の刻印とボタンに対して斜め上方から光が当てられることによる陰影を表現する画像を表示し、
　このとき、凸形状のボタンが凸レンズとして作用し、凸形状のボタンを通して見たディスプレイ画像は、実際のサイズよりも拡大して見えるので、これを補正するため、ディスプレイパネルの表示画像を、凸形状による画像拡大率に対応した縮小率で縮小表示し、
　さらに、ディスプレイ画面上に仮想的なボタン画像を表示し、そのボタン画像に対して陰影を付ける処理を行う描画エンジンを備え、描画エンジンが生成した画像データをディスプレイパネルに送って表示させる画像処理部を備える
　携帯電話端末。」
（２）引用文献２
ア　引用文献２の記載
　引用文献２には、以下の記載がある。下線は、当合議体が付した。原文の引用の後に記載した日本語訳は、引用文献２に対応する公表特許公報（特表２０１１−５０８９３５号公報）の記載に基づいて当合議体が作成した。
「[0041] As shown in FIGURE 17, the processor may also be coupled to
the display 150 such that different input graphics may be displayed 
under the same deformation of the surface 115, and different inputs 
may be recognized. As an example, 
when the cavity 125 is in the 
extended volume setting
graphic of a first type (such as a letter) and the user input on the
deformation would be of a first type (such as a letter), and the 
display 150 may include an input graphic of a second type (such as a
number) and the user input on the deformation would be of a second 
type (such as a number). When the cavity 125 is in the retracted 
volume setting, the display 150 may further include an input graphic
of a third type (such as an enter or accept input), and the user
input on the touch sensor 140 would be of a third type (such as an enter or accept input).
[0042] The processor may also function to alter the output of the 
display 150 to correct or adjust for any optical distortion caused 
by the deformation in the surface 115. It is envisioned that, in 
certain applications, the size of the deformation may cause a fish 
eye effect when viewing the display 150. The processor, preferably 
through empirical data, may adjust the output to help correct for 
this distortion.」
「［００４１］図１７に示されるように、プロセッサはさらに、異なる入力グラフィックが表面１１５の同じ変形のもとに表示され、異なる入力が認識されるようにディスプレイ１５０に接続してもよい。例として、
空洞部１２５が拡張した体積状態にある場合
［００４２］プロセッサはさらに、ディスプレイ１５０の出力を変更し、表面１１５内の変形によって起こる光学的な歪みを補正または調整するように機能してもよい。ある適用例において、ディスプレイ１５０を見ている時、変形が大きいと「フィッシュアイ」効果を起こしうるという事が考えられる。プロセッサは好適に、実験データを通して、この歪みの補正を助けるために出力を調整する。」
「[0044] As shown in FIGURES 1 and 2, the user interface system 100 
of the preferred embodiment also includes a second cavity 225. The 
additional cavities, except as detailed below, are preferably 
identical to the cavity 125. In one version, as shown in FIGURES 18a
and 18b, the displacement device 130 is connected to both the cavity
125 and the second cavity 225 and is adapted to expand the cavity 
125 and the second cavity 225 together, acting together as an array,
thereby deforming more than one region of the surface 115 at the 
same time. In a second version, the user interface system 100 
includes a valve located between the displacement device 130 and the
cavity 125 and another valve located between the displacement device
130 and the second cavity 225 to selectively control the fluid flow 
into the cavity 125 and into the second cavity 225, respectively. In
a third version, as shown in FIGURES 19a and 19b, the user interface
system 100 includes a second displacement device 230 connected to 
the second cavity 225, which functions to expand the second cavity 
225 and thereby deforming a second region of the surface 115. The 
second displacement device 230 is otherwise similar or identical to 
the displacement device 130. By separately controlling the 
displacement device 130 and the second displacement device 230, the 
cavity 125 and the second cavity 225 may be expanded independently. 
In a fourth version, as shown in FIGURES 20a, 20b, and 20c, the 
displacement device 130 is a linear actuator that can either expand 
the cavity 125 and retract the second cavity 225 (shown in FIGURE 
20a), retract the cavity 125 and the second cavity 225 (shown in 
FIGURE 20b), or retract the cavity 125 and expand the second cavity 
225 (shown in FIGURE 20c). 
This arrangement may be particularly 
useful in large arrays of cavities, as shown in FIGURE 21a, where 
the cavities aligned with a dial pad can be expanded (as shown in 
FIGURE 21b) or the cavities aligned with a QUERTY keyboard can be 
expanded (as shown in FIGURE 21c).
「［００４４］図１および図２に示されるように、好適な実施形態のユーザインタフェースシステム１００はさらに別の空洞部２２５を具える。以下に詳述されるものを除いて、更なる空洞部は好適には空洞部１２５と同一である。ある実施例では、図１８ａおよび図１８ｂに示されるように、変位デバイス１３０は空洞部１２５および別の空洞部２２５の両方に接続され、アレイのように共に作用しながら空洞部１２５および別の空洞部２２５を一緒に拡張するように構成されており、これにより、同時に表面１１５の１以上の領域を変形する。第２の実施例では、ユーザインタフェースシステム１００は、変位デバイス１３０と空洞部１２５との間に配置されたバルブと、変位デバイス１３０と別の空洞部２２５との間に配置された別のバルブとを具えており、空洞部１２５および別の空洞部２２５内に流入する流動体をそれぞれ選択的に制御する。第３の実施例では、図１９ａおよび図１９ｂに示されるように、ユーザインタフェースシステム１００は、別の空洞部２２５に接続された別の変位デバイス２３０を具えており、別の空洞部２２５を拡張するように機能し、これにより、表面１１５の別の領域を変形する。それ以外では、別の変位デバイス２３０は、変位デバイス１３０と同等または同一である。変位デバイス１３０と別の変位デバイス２３０とを別個に制御することにより、空洞部１２５および別の空洞部２２５は独立して拡張することができる。第４の実施例では、図２０ａ、図２０ｂ、および図２０ｃに示されるように、変位デバイス１３０はリニアアクチュエータであり、空洞部１２５を拡張して別の空洞部２２５を収縮する（図２０ａに示される）か、空洞部１２５および別の空洞部２２５を収縮する（図２０ｂに示される）か、あるいは空洞部１２５を収縮して別の空洞部２２５を拡張する（図２０ｃに示される）かの何れかを行うことができる。
図２１ａに示されるように、この構成は多数の空洞部のアレイにおいて特に有用であり、この場合、ダイヤルパッドに位置合わせされた空洞部が拡張する（図２１ｂに示される）か、あるいはＱＵＥＲＴＹキーボードに位置合わせされた空洞部が拡張する（図２１ｃに示される）。
FIGURE 17
FIGURES 21A, 21B, and 21C
イ　引用文献２に記載された事項
　引用文献２の前記アの記載によれば、引用文献２には、「拡張した体積状態にあることができる多数の空洞部を、ダイヤルパッド又はキーボードに位置合わせして設けたユーザインタフェースシステム」が記載されている。
２　本願発明１について
（１）対比
　本願発明１と引用発明とを対比すると、以下のとおりである。
ア　引用発明の「携帯電話端末」は、本願発明１の「携帯装置」に相当し、引用発明の「ディスプレイパネル」は、「携帯電話端末のディスプレイパネル」であるから、本願発明１の「携帯装置」が「備える」「ディスプレイ」に相当する。
イ　引用発明の「ディスプレイパネルの表示画像」は、本願発明１の「画像」に相当する。
ウ　引用発明の「視触覚ＵＩパネルの一部の変形部を膨張状態にし、それ以外の変形部を全てフラット状態に制御し、ディスプレイパネル面上に複数種類の形状でかつ凸状のボタンを形成することで、視覚的及び触覚的な情報伝達を可能とする場合」の「凸状のボタン」は、本願発明１の「表面特徴」に相当する。
　引用発明の「凸状に形成されたボタン」及び「凸形状のボタン」は、「凸状のボタン」を指すことが明らかであるから、「凸状のボタン」と同様に、本願発明１の「表面特徴」に相当する。
エ　引用発明の「視触覚ＵＩパネル」は、「透明シート」「を有する」ものであり、「透明シートは、」「携帯電話端末のディスプレイパネルの前面（表示面側）に設けられるとともに、ディスプレイパネルの表示面の略々全面を覆うように配され」るから、引用発明の「ディスプレイパネル」は、その前面に「視触覚ＵＩパネル」を有することになる。
　これは、前記ウを踏まえると、本願発明１の「ディスプレイ」が「表面特徴をする」ことに相当する。
オ　引用発明は、「視触覚ＵＩパネルの一部の変形部を膨張状態にし、それ以外の変形部を全てフラット状態に制御し、ディスプレイパネル面上に複数種類の形状でかつ凸状のボタンを形成することで、視覚的及び触覚的な情報伝達を可能とする場合、ディスプレイパネルの表示画像のうち、視触覚ＵＩパネル上で凸状に形成されたボタン直下に表示される画像として、ボタン面上（キートップ）の刻印とボタンに対して斜め上方から光が当てられることによる陰影を表現する画像を表示」するから、「凸状のボタン」の直下には、「ディスプレイパネルの表示画像のうち」「ボタン面上（キートップ）の刻印とボタンに対して斜め上方から光が当てられることによる陰影を表現する画像」が表示される。
　これは、引用発明の「凸状のボタン」が「ディスプレイパネルの表示画像のうち」「ボタン面上（キートップ）の刻印とボタンに対して斜め上方から光が当てられることによる陰影を表現する画像」を覆うことを意味するから、前記イ及びウを踏まえると、本願発明１の「表面特徴」が「画像を少なくとも部分的に覆う」ことに相当する。
カ　引用発明の「携帯電話端末」は、「視触覚ＵＩパネル」が「有する」「透明シート」「の前面側に透明タッチパネルが設けられており、」「使用者が指先で透明タッチパネルの表面に触れると、その接触を検知した検知信号を制御部へ出力し、これにより、制御部は、使用者が何れのボタンを押したのかを知ることで、そのボタンに割り当てられた機能を実行」するから、「凸状のボタン」の場所を検出するセンサを備えているということができる。
　これは、前記ウを踏まえると、本願発明１の「携帯装置」が「前記表面特徴の場所を検出するように構成されるセンサ」「を備える」ことに相当する。
キ　引用発明の「ＣＰＵからなり、画像処理及びその制御を行う制御部」は、「画像処理及びその制御を行う」以上、「ディスプレイパネル」に結合されていることが明らかであるから、前記アを踏まえると、本願発明１の「前記ディスプレイに結合されるプロセッサ」に相当する。
ク　引用発明において「ディスプレイパネルの表示画像のうち、視触覚ＵＩパネル上で凸状に形成されたボタン直下に表示される画像として、ボタン面上（キートップ）の刻印とボタンに対して斜め上方から光が当てられることによる陰影を表現する画像を表示」するときに「凸形状のボタンが凸レンズとして作用し、凸形状のボタンを通して見たディスプレイ画像は、実際のサイズよりも拡大して見える」ことは、前記イ及びウを踏まえると、本願発明１において「前記表面特徴によって」「前記画像における歪み」が「引き起こされる」ことに相当する。
ケ　引用発明の「ディスプレイパネルの表示画像」は、「ディスプレイパネル」に表示されるものであるから、それに対応する電気信号が引用発明の「携帯電話端末」の内部で生成されていることは明らかである。この電気信号は、本願発明１の「前記画像に関係付けられるディスプレイ信号」に相当する。
　また、引用発明の「携帯電話端末」は、その内部に、「ディスプレイパネルの表示画像」に対応する電気信号を受け取って「ディスプレイパネル」に表示させる機能を担う手段を備えることが明らかである。このことは、本願発明１において「前記画像に関係付けられるディスプレイ信号を受信」することに相当するということができる。
コ　引用発明の「凸形状による画像拡大率に対応した縮小率」は、「凸形状のボタン」の具体的な形状に基づいて定まることが明らかである。また、引用発明において「ディスプレイパネルの表示画像を」「縮小表示」するには、「表示画像」のデータを「ディスプレイパネル」に送る必要があることが明らかである。
　したがって、引用発明において、「これを補正するため、ディスプレイパネルの表示画像を、凸形状による画像拡大率に対応した縮小率で縮小表示」することは、前記アないしウ、ク及びケを踏まえると、本願発明１において、「前記表面特徴に少なくとも部分的に基づいて、前記表面特徴によって引き起こされる前記画像における歪みを低減するように前記ディスプレイ信号を変換し、且つ変換された前記ディスプレイ信号を前記ディスプレイに送信する」ことに相当する。
サ　引用発明の「携帯電話端末」は、「ディスプレイパネルの表示画像のうち、視触覚ＵＩパネル上で凸状に形成されたボタン直下に表示される画像として、ボタン面上（キートップ）の刻印とボタンに対して斜め上方から光が当てられることによる陰影を表現する画像を表示」するときに「凸形状のボタンが凸レンズとして作用し、凸形状のボタンを通して見たディスプレイ画像は、実際のサイズよりも拡大して見えるので、これを補正するため、ディスプレイパネルの表示画像を、凸形状による画像拡大率に対応した縮小率で縮小表示」するから、縮小表示の対象となるのは、「ディスプレイパネルの表示画像のうち、」「凸形状のボタンを通して見たディスプレイ画像」だけである。
　したがって、引用発明では、「これを補正するため、ディスプレイパネルの表示画像を、凸形状による画像拡大率に対応した縮小率で縮小表示」するに先だって、縮小表示の対象となる「凸形状のボタンを通して見たディスプレイ画像」の位置を特定していると認められる。
　ここで、「凸形状のボタンを通して見たディスプレイ画像」は、具体的には「ディスプレイパネルの表示画像のうち、視触覚ＵＩパネル上で凸状に形成されたボタン直下に表示される画像として」の「ボタン面上（キートップ）の刻印とボタンに対して斜め上方から光が当てられることによる陰影を表現する画像」であるから、「凸状に形成されたボタン」に関係付けられるものである。
　そうすると、引用発明において、「これを補正するため、ディスプレイパネルの表示画像を、凸形状による画像拡大率に対応した縮小率で縮小表示」するに先だって、縮小表示の対象となる「凸形状のボタンを通して見たディスプレイ画像」の位置を特定することは、前記ウを踏まえると、本願発明１において、「前記表面特徴の場所を含む前記表面特徴に関係付けられる信号を決定」することに相当する。
（２）一致点及び相違点
　前記（１）の対比の結果をまとめると、本願発明１と引用発明との一致点及び相違点は、以下のとおりである。
ア　一致点
「画像を少なくとも部分的に覆う表面特徴を有するディスプレイと、
　前記表面特徴の場所を検出するように構成されるセンサと、
　前記ディスプレイに結合されるプロセッサとを備え、
　前記画像に関係付けられるディスプレイ信号を受信し、前記表面特徴の場所を含む前記表面特徴に関係付けられる信号を決定し、前記表面特徴に少なくとも部分的に基づいて、前記表面特徴によって引き起こされる前記画像における歪みを低減するように前記ディスプレイ信号を変換し、且つ変換された前記ディスプレイ信号を前記ディスプレイに送信するように構成される、
　携帯装置。」
イ　相違点
（ア）相違点１
　本願発明１は、「画像を少なくとも部分的に覆う表面特徴」が「画像に対応せず」とされているのに対し、
　引用発明は、「ディスプレイパネルの表示画像のうち、視触覚ＵＩパネル上で凸状に形成されたボタン直下に表示される画像として、ボタン面上（キートップ）の刻印とボタンに対して斜め上方から光が当てられることによる陰影を表現する画像を表示」するから、「凸状のボタン」（本願発明１の「表面特徴」に相当する。）が「ディスプレイパネルの表示画像」（本願発明１の「画像」に相当する。）のうちの「ボタン面上（キートップ）の刻印とボタンに対して斜め上方から光が当てられることによる陰影を表現する画像」を覆っており、本願発明１の表現を用いれば、画像を少なくとも部分的に覆う表面特徴が画像に対応している点。
（イ）相違点２
　本願発明１は、「プロセッサ」が「前記画像に関係付けられるディスプレイ信号を受信し、前記表面特徴の場所を含む前記表面特徴に関係付けられる信号を決定し、前記表面特徴に少なくとも部分的に基づいて、前記表面特徴によって引き起こされる前記画像における歪みを低減するように前記ディスプレイ信号を変換し、且つ変換された前記ディスプレイ信号を前記ディスプレイに送信するように構成される」から、本願発明１において「前記画像に関係付けられるディスプレイ信号を受信し、前記表面特徴の場所を含む前記表面特徴に関係付けられる信号を決定し、前記表面特徴に少なくとも部分的に基づいて、前記表面特徴によって引き起こされる前記画像における歪みを低減するように前記ディスプレイ信号を変換し、且つ変換された前記ディスプレイ信号を前記ディスプレイに送信する」動作を行うものは「プロセッサ」であるのに対し、
　引用発明において「ディスプレイパネルの表示画像のうち、視触覚ＵＩパネル上で凸状に形成されたボタン直下に表示される画像として、ボタン面上（キートップ）の刻印とボタンに対して斜め上方から光が当てられることによる陰影を表現する画像を表示」するときに「凸形状のボタンが凸レンズとして作用し、凸形状のボタンを通して見たディスプレイ画像は、実際のサイズよりも拡大して見えるので、これを補正するため、ディスプレイパネルの表示画像を、凸形状による画像拡大率に対応した縮小率で縮小表示」する動作（本願発明１の「プロセッサ」が行う動作に相当する。）を行うものが「制御部」（本願発明１の「プロセッサ」に相当する。）であるかは不明である点。
（３）相違点１についての判断
　画像を少なくとも部分的に覆う表面特徴を、その画像と対応しないものとすることは、引用文献１ないし引用文献４に記載も示唆もされていない。また、このことが当業者にとって自明な事項であると認めることもできない。
　したがって、相違点１に係る本願発明１の構成は、引用発明及び引用文献１ないし引用文献４に記載された事項に基づいて、当業者が容易に思い付くことであるということはできない。
（４）本願発明１についてのまとめ
　前記（３）のとおり、相違点１に係る本願発明１の構成は、引用発明及び引用文献１ないし引用文献４に記載された事項に基づいて当業者が容易に思い付くことであるということはできない。
　そうすると、相違点１は実質的な差異であるから、本願発明１は、引用文献１に記載された発明（引用発明）であるということはできない。
　また、相違点２について検討するまでもなく、本願発明１は、引用文献１に記載された発明に基づいて、又はさらに引用文献２ないし引用文献４に記載された発明に基づいても、当業者が容易に発明をすることができたものであるということはできない。
　さらに、相違点１に係る本願発明１の構成は、引用文献２に記載も示唆もされていないのであるから、引用文献１に記載された発明（引用発明）の代わりに引用文献２に記載された発明から出発しても、同様の判断となることは明らかである。すなわち、本願発明１は、引用文献２に記載された発明であるということはできないし、引用文献２に記載された発明に基づいて、又はさらに引用文献１、引用文献３及び引用文献４に記載された発明に基づいても、当業者が容易に発明をすることができたものであるということはできない。
３　本願発明２ないし本願発明５について
　本願発明２ないし本願発明５は、本願発明１の構成を全て含むから、少なくとも本願発明１と引用発明との相違点１及び相違点２（前記２（２）イ（ア）及び（イ））で引用発明と相違する。
　そして、前記２（３）のとおり、相違点１に係る本願発明１の構成は、引用発明及び引用文献１ないし引用文献４に記載された事項に基づいて当業者が容易に思い付くことであるということはできないから、本願発明１について前記２（４）で述べたことは、本願発明２ないし本願発明５にもそのまま当てはまる。
　したがって、本願発明２ないし本願発明５は、引用文献１又は引用文献２に記載された発明であるということはできないし、引用文献１ないし引用文献４に記載された発明に基づいて当業者が容易に発明をすることができたものであるということもできない。
４　本願発明６ないし本願発明１０について
　本願発明６は、本願発明１に係る装置によって実行される方法の発明であり、本願発明１とカテゴリー表現が異なるだけの発明である。また、本願発明７ないし本願発明１０は、本願発明６の構成を全て含む。したがって、本願発明６ないし本願発明１０は、相違点１に係る本願発明１の構成に対応する構成を備える。
　そして、前記２（３）のとおり、相違点１に係る本願発明１の構成は、引用発明及び引用文献１ないし引用文献４に記載された事項に基づいて当業者が容易に思い付くことであるということはできないから、本願発明１について前記２（４）で述べたことは、本願発明６ないし本願発明１０にもそのまま当てはまる。
　したがって、本願発明６ないし本願発明１０は、引用文献１又は引用文献２に記載された発明であるということはできないし、引用文献１ないし引用文献４に記載された発明に基づいて当業者が容易に発明をすることができたものであるということもできない。
５　本願発明１１ないし本願発明１５について
　本願発明１１は、本願発明１に係る装置によって実行される方法（すなわち、本願発明６に係る方法）をプロセッサに実行させるプログラムコードを含む非一時的コンピュータ可読記録媒体の発明であり、本願発明１とカテゴリー表現が異なるだけの発明である。また、本願発明１２ないし本願発明１５は、本願発明１１の構成を全て含む。したがって、本願発明１１ないし本願発明１５は、相違点１に係る本願発明１の構成に対応する構成を備える。
　そして、前記２（３）のとおり、相違点１に係る本願発明１の構成は、引用発明及び引用文献１ないし引用文献４に記載された事項に基づいて当業者が容易に思い付くことであるということはできないから、本願発明１について前記２（４）で述べたことは、本願発明１１ないし本願発明１５にもそのまま当てはまる。
　したがって、本願発明１１ないし本願発明１５は、引用文献１又は引用文献２に記載された発明であるということはできないし、引用文献１ないし引用文献４に記載された発明に基づいて当業者が容易に発明をすることができたものであるということもできない。
６　原査定の判断について
　本願発明１ないし本願発明１５は、本件補正により、「画像を少なくとも部分的に覆う表面特徴」が「画像に対応せず」とされた結果、相違点１に係る本願発明１の構成又はそれに対応する構成を備えるものとなったので、前記のとおり、引用文献１又は引用文献２に記載された発明であるということはできないし、引用文献１ないし引用文献４に記載された発明に基づいて当業者が容易に発明をすることができたものであるということもできない。
　したがって、原査定の理由は、維持することができない。
第７　むすび
　以上のとおりであるから、原査定の理由によっては、本願は拒絶をするべきものであるということはできない。
　また、他に、本願は拒絶をするべきものであるという理由を発見しない。
　よって、結論のとおり審決する。